(57)【要約】【課題】各コンセントにプラグを差し込んで接続したそれぞれのＡＣコードが互いに絡むのを防止できるテーブルタップを提供する。【解決手段】複数のコンセント２を配列して設けたテーブルタップ本体１０の片側にＡＣコード支持部１１を延設すると共に、紐状体６を張設固定するための複数の固定部５をＡＣコード支持部１１に千鳥状に配置して設け、これらの固定部５にジグザグ状に張設固定した紐状体６によって、各コンセント２にプラグ７ａを差し込んで各固定部５の相互間から片側へ引き出されるそれぞれのＡＣコード７を押えるようにしたテーブルタップとする。紐状体６でＡＣコード７を押えて移動を抑制し、ＡＣコード７が互いに絡み合うのを防止する。ＡＣコード支持部に千鳥状に配置して設けた固定孔を通してスパイラル状に張設固定した紐状体でＡＣコード７を押えるようにしてもよい。【選択図】図３
2012156078.tif 000002
【特許請求の範囲】
【請求項１】
複数のコンセントを配列して設けたテーブルタップ本体の片側にＡＣコード支持部を延設すると共に、紐状体を張設固定するための複数の固定部をＡＣコード支持部に千鳥状に配置して設け、これらの固定部にジグザグ状に張設固定した紐状体によって、各コンセントにプラグを差し込んで各固定部の相互間から片側へ引き出されるそれぞれのＡＣコードを押えるようにしたことを特徴とするテーブルタップ。
【請求項２】
上記固定部が倒立Ｌ形の係止片であることを特徴とする請求項１に記載のテーブルタップ。
【請求項３】
上記固定部が中央にブリッジ部を有する穴であることを特徴とする請求項１に記載のテーブルタップ。
【請求項４】
複数のコンセントを配列して設けたテーブルタップ本体の片側にＡＣコード支持部を延設すると共に、紐状体を張設固定するための複数の固定孔をＡＣコード支持部に千鳥状に配置して設け、これらの固定孔を通してスパイラル状に張設固定した紐状体によって、各コンセントにプラグを差し込んで片側へ引き出されるそれぞれのＡＣコードを押えるようにしたことを特徴とするテーブルタップ。
【発明の詳細な説明】
【技術分野】
【０００１】
本発明はテーブルタップに関し、更に詳しくは、各コンセントにプラグを差し込んで接続したそれぞれのＡＣコードが互いに絡み合うのを防止できるように改良したテーブルタップに関する。
【背景技術】
【０００２】
従来のテーブルタップは、各コンセントにプラグを差し込んで接続したそれぞれのＡＣコードがフリーの状態であるため、ＡＣコードが互いに絡み合うという問題があった。
【０００３】
このようなＡＣコードの絡み合いや混乱を少なくする先行技術として、例えば机の前面部の天板下に、コンセントを囲むように開閉扉を有するリード線収納ボックスを設け、コンセントに接続した各機器のリード線をボックス内にまとめて収納することにより、余分なリード線が露出しないようにして体裁を向上させたものが知られている（特許文献１）。
【０００４】
また、テーブルタップ全体を開閉自在な保護カバーに収容し、テーブルタップの電源コードと、テーブルタップのコンセントにプラグを差し込んで接続したＡＣコードを、保護カバーに形成した導出口から外部へ引き出すようにしたものや（特許文献２）、コンセントタップを囲むボックスを設け、ボックス内に立設したコードガイドに充電器のコード線を巻き付けてコード線を整理するようにしたもの（特許文献３）も知られている。
【先行技術文献】
【特許文献】
【０００５】
【特許文献１】特開２００２−６３９６９号公報
【特許文献２】特開２００３−１８７９００号公報
【特許文献３】実用新案登録第３１２３０１９号公報
【発明の概要】
【発明が解決しようとする課題】
【０００６】
前記特許文献１の技術は、余分なリード線をリード線収納ボックスに収容することによって体裁を向上させることはできるが、リード線収納ボックスの内部において余分なリード線がフリーの状態にあるため、ボックス内部でリード線同士が絡み易いという問題があった。
【０００７】
また、特許文献２の技術は、保護カバーによってテーブルタップのコンセントへの異物浸入などを防止することはできるが、各コンセントに接続された複数本のコードが保護カバーの片方の一つの導出口から外部へ引き出されるため、導出口を出た近傍箇所でコード同士が絡み易いという問題があった。
【０００８】
また、特許文献３の技術は、ボックス内に立設したコードガイドに各充電器のコード線を一緒に巻き付けているので、やはりボックス内でコード線が絡み易いという問題があった。
【０００９】
本発明は上記事情の下になされたもので、その解決しようとする課題は、各コンセントにプラグを差し込んで接続したそれぞれのＡＣコードが互いに絡むのを防ぐことができるテーブルタップを提供することにある。
【課題を解決するための手段】
【００１０】
上記課題を解決するため、本発明に係るテーブルタップは、複数のコンセントを配列して設けたテーブルタップ本体の片側にＡＣコード支持部を延設すると共に、紐状体を張設固定するための複数の固定部をＡＣコード支持部に千鳥状に配置して設け、これらの固定部にジグザグ状に張設固定した紐状体によって、各コンセントにプラグを差し込んで各固定部の相互間から片側へ引き出されるそれぞれのＡＣコードを押えるようにしたことを特徴とするものである。
このテーブルタップにおいては、固定部が倒立Ｌ形の係止片であるか、又は、中央にブリッジ部を有する穴であることが好ましい。
【００１１】
本発明のもう一つのテーブルタップは、複数のコンセントを配列して設けたテーブルタップ本体の片側にＡＣコード支持部を延設すると共に、紐状体を張設固定するための複数の固定孔をＡＣコード支持部に千鳥状に配置して設け、これらの固定孔を通してスパイラル状に張設固定した紐状体によって、各コンセントにプラグを差し込んで片側へ引き出されるそれぞれのＡＣコードを押えるようにしたことを特徴とするものである。
【発明の効果】
【００１２】
本発明のテーブルタップのように、テーブルタップ本体の片側に延設したＡＣコード支持部に複数の固定部を千鳥状に配置して設け、これらの固定部にジグザグ状に張設固定した紐状体によって、各コンセントにプラグを差し込んで各固定部の相互間から片側へ引き出されるそれぞれのＡＣコードを押えるようにすると、それぞれのＡＣコードがＡＣコード支持部表面の各固定部の相互間において紐状体で拘束され、それぞれのＡＣコードの移動が抑制されるため、ＡＣコードが互いに絡み合うのを防止することができる。
【００１３】
その場合、固定部が倒立Ｌ形の係止片であると、紐状体を倒立Ｌ形の各係止片に引っ掛けながら簡単にジグザグ状に張設固定して、各係止片の相互間に引き出されるそれぞれのＡＣコードを確実に押えることができ、しかも、係止片がそれぞれのＡＣコードを分離する仕切片の役目を果たすため、ＡＣコードの絡み合いを確実に防止することができる。
また、固定部が中央にブリッジ部を有する穴であると、紐状体を各穴のブリッジ部の下側を潜らせながらジグザグ状に張設固定して、各穴の相互間に引き出されるそれぞれのＡＣコードを押えることができ、しかも、ブリッジ部がＡＣコード支持部表面から突き出さないので体裁が良く、物を引っ掛ける心配も解消される。
【００１４】
また、本発明のもう一つのテーブルタップのように、ＡＣコード支持部に千鳥状に配置して設けられた固定孔に紐状体を通してスパイラル状に張設固定し、この紐状体によってそれぞれのＡＣコードを押えるようにしたものも、上記と同様にそれぞれのＡＣコードが紐状体で拘束されて移動が抑制されるため、ＡＣコードが互いに絡み合うのを防止することができる。
【図面の簡単な説明】
【００１５】
【図１】本発明の一実施形態に係るテーブルタップの平面図であって、紐状体を張設固定する前の状態を示すものである。
【図２】同テーブルタップの正面図であって、紐状体を張設固定する前の状態を示すものである。
【図３】同テーブルタップの平面図であって、紐状体を張設固定してＡＣコードを押えた状態を示すものである。
【図４】同テーブルタップの正面図であって、紐状体を張設固定してＡＣコードを押えた状態を示すものである。
【図５】同テーブルタップの左側面図であって、紐状体を張設固定してＡＣコードを押えた状態を示すものである。
【図６】固定部の他の例を示す斜視図である。
【図７】本発明の他の実施形態に係るテーブルタップの平面図であって、紐状体を張設固定してＡＣコードを押えた状態を示すものである。
【発明を実施するための形態】
【００１６】
以下、図面に基づいて、本発明に係るテーブルタップの代表的な実施形態を詳細に説明する。
【００１７】
図１〜図５に示す実施形態のテーブルタップは、合成樹脂製のボトムケース１ａとアッパーケース１ｂとからなるタップケース１に、ＡＣコード７の先端のプラグ７ａが差し込まれる４個のコンセント２を縦方向に一定間隔をあけて配列して埋設したものであって、それぞれのコンセント２はタップケース１の内部で並列に接続されており、それぞれのコンセント２に対応する４個のオン・オフスイッチ３がコンセント２の横に配設されている。なお、４は各コンセント２に電流（交流）を供給する電源コードである。
【００１８】
コンセント２とオン・オフスイッチ３の個数は、４個に限定されるものではなく、複数個であればよい。また、各コンセント２への給電を個別にオン・オフする上記スイッチ３に代えて、全てのコンセント２への給電を一斉にオン・オフするスイッチを一つだけ設けたものでも勿論よい。
【００１９】
複数個のコンセント２とオン・オフスイッチ３を配列して設けたテーブルタップ本体１０の片側（ＡＣコード７を引き出す側、この実施形態では左側）には、テーブルタップ本体１０よりも厚みの小さい中空板状のＡＣコード支持部１１が延設されている。このＡＣコード支持部１１は、その上に引き出された各ＡＣコード７を絡ませないように支持するもので、図２に示すようにアッパーケース１ｂを片側に拡張し、その拡張部分の下面にボトムケース１ａの片側に延設した薄板部を重ねたものである。
【００２０】
ＡＣコード支持部１１の上面（アッパーケース１ｂの拡張部分の上面）には、紐状体６を張設固定するための複数（５つ）の固定部５が設けられている。図２に示すように、これらの固定部５は倒立Ｌ形の係止片からなるもので、図１に示すように、ＡＣコード支持部１１の上面に千鳥状に配置して立設されており、図３に示すように、各コンセント２に先端のプラグ７ａを差し込んで接続された各ＡＣコード７が、それぞれの係止片５の相互間を通って片側へ引き出されるようになっている。
【００２１】
図１，図２に示すように、千鳥状に配置された倒立Ｌ形の係止片５のうち、ＡＣコード支持部１１の左端縁沿いに位置する係止片５は、いずれも左側に直角に折れ曲がる姿勢で立設されており、反対側のテーブルタップ本体１０沿いに位置する係止片５は、いずれも右側に直角に折れ曲がる姿勢で立設されている。そのため、図３，図４に示すように、一本の紐状体６をそれぞれの係止片５に引っ掛けると共に、紐状体６の両端部を両端の係止片５，５に巻き付けて固定することにより、一本の紐状体６をジグザグ状に張設固定できるようになっている。
【００２２】
係止片５に張設固定する紐状体６は、ＡＣコード７を移動しないように押えることができる引張強度を備えたものであれば、どのような材質のものでも使用可能であるが、例えば、絶縁性樹脂で被覆した樹脂被覆ワイヤ、合成樹脂製の紐などが好ましく使用される。
【００２３】
上記のテーブルタップは、以下の要領で使用される。即ち、図３，４に示すように、各コンセント２に各ＡＣコード７の先端のプラグ７ａを差し込んで接続すると共に、各ＡＣコード７を山なりに曲げながら各係止片５の相互間を通して片側へ引き出し、その上から紐状体６を各係止片５に引っ掛けてジグザグ状に張設固定することにより、ＡＣコード支持部１１で支持された各ＡＣコード７を紐状体６で押えて使用する。このようにすると、それぞれのＡＣコード７がＡＣコード支持部１１の上面の各係止片５の相互間において紐状体６で拘束され、それぞれのＡＣコード７の移動が抑制されると共に、各係止片５がそれぞれのＡＣコード７を分離する仕切片の役目も果たすため、ＡＣコード７の絡み合いを確実に防止することができる。
【００２４】
上記実施形態のテーブルタップでは、紐状体６をジグザグ状に張設固定するための固定部として、倒立Ｌ形の係止片５をＡＣコード支持部１１の上面に千鳥状に配置して立設しているが、例えば、図６に示すような固定部５０をＡＣコード支持部１１の上面に千鳥状に配置して設けてもよい。
【００２５】
即ち、この固定部５０は、ＡＣコード支持部１１の上面に長方形の穴５０ａを形成すると共に、その穴５０ａの中央にブリッジ部５０ｂを形成したものであって、前記紐状体６を穴５０ａのブリッジ部５０ｂの下側を潜らせてジグザグ状に張設固定するものである。このような固定部５０は、ブリッジ部５０ｂがＡＣコード支持部１１の上面から突き出さないので体裁が良く、物を引っ掛ける心配もないという利点がある。
【００２６】
図７に示すテーブルタップは、紐状体６を張設固定するための複数の固定孔５１をＡＣコード支持部１１に千鳥状に配置して設け、これらの固定孔５１を通してスパイラル状に張設固定した紐状体６によって、各コンセント２にプラグ７ａを差し込んで片側へ引き出されるそれぞれのＡＣコード７を押えるようにしたものであり、紐状体６の両端はＡＣコード支持部１１の下面に固定されている。
その他の構成は前記のテーブルタップと同様であるので、図７において同一部材に同一符号を付し、重複する説明を省略する。
【００２７】
このようなテーブルタップも、スパイラル状に張設固定された紐状体６によってそれぞれのＡＣコード７が押えられ、その移動が抑制されるため、ＡＣコード７が互いに絡み合うのを確実に防止することができる。
【符号の説明】
【００２８】
１    タップケース
２    コンセント
３    オン・オフスイッチ
５    固定部（倒立Ｌ形の係止片）
６    紐状体
７    ＡＣコード
７ａ  プラグ
１０  テーブルタップ本体
１１  ＡＣコード支持部
【図１】
2012156078.tif 000003
【図２】
2012156078.tif 000004
【図３】
2012156078.tif 000005
【図４】
2012156078.tif 000006
【図５】
2012156078.tif 000007
【図６】
2012156078.tif 000008
【図７】
2012156078.tif 000009